【手続補正書】
【提出日】平成21年8月10日(2009.8.10)
【手続補正１】
【補正対象書類名】特許請求の範囲
【補正対象項目名】全文
【補正方法】変更
【補正の内容】
【特許請求の範囲】
【請求項１】
複数のシートからなるシート束に折り処理を行う折り手段と、
前記折り手段により折られたシート束を排出する排出手段と、
前記折られたシート束の折り部に沿ってシート束の一端部から他端部、あるいは前記他端部から前記一端部まで移動しながら前記折り部を加圧することが可能なシート束加圧手段と、
前記シート束加圧手段を、前記シート束加圧手段の移動方向と直交する方向の中心から前記一端部側に寄せて支持するハウジングと、
前記シート束加圧手段を制御する制御手段と、を備え、
前記シート束加圧手段は、加圧された後のシート束を、前記排出手段によって前記折り部を先頭にして排出させることが可能なシート束排出可能位置に移動可能であり、
前記制御手段は、処理されるシート束の排出方向と直交する方向のシートサイズが所定サイズより大きい場合に、前記シート束排出可能位置を前記一端部側に設定するよう制御する
ことを特徴とするシート処理装置。
【請求項２】
複数のシートからなるシート束に折り処理を行う折り手段と、
前記折り手段により折られたシート束を搬送する搬送手段と、
前記搬送手段によって折り部を先頭にして搬送された、前記折られたシート束の折り部に沿ってシート束の一端部から他端部、あるいは前記他端部から前記一端部まで移動しながら前記折り部を加圧することが可能なシート束加圧手段と、
前記シート束加圧手段を制御する制御手段と、を備え、
前記制御手段は、処理されるシート束の搬送方向と直交する方向のシートサイズが所定サイズより大きい場合に、前記シート束加圧手段の加圧時の移動方向を、前記折り部に沿った一方または他方の方向のどちらかの向きになるように制御し、処理されるシート束の前記搬送方向と直交する方向のシートサイズが所定サイズより小さい場合に、前記シート束加圧手段の加圧時の移動方向を、前記折り部に沿った一方及び他方の両方向になるように制御する
ことを特徴とするシート処理装置。
【請求項３】
複数のシートからなるシート束に折り処理を行う折り手段と、
前記折り手段により折られたシート束を搬送する搬送手段と、
折られたシート束の折り部に沿ってシート束の一端部から他端部、あるいは前記他端部から前記一端部まで移動しながら前記折り部を加圧することが可能なシート束加圧手段と、
前記シート束加圧手段を制御する制御手段と、を備え、
前記シート束加圧手段は、前記搬送手段によって前記折り部を先頭にして搬送された、折られたシート束を受け入れるシート束受入位置と、加圧された後のシート束を、前記搬送手段によって前記折り部を先頭にして排出させることが可能なシート束排出可能位置との間を移動可能であり、
前記制御手段は、前記シート束受入位置と前記シート束排出可能位置を前記一端部と前記他端部の間で入れ替え可能であるとともに、連続して処理されるシート束の搬送方向と直交する方向のシートサイズがいずれも所定サイズより大きい場合に、前記シート束排出可能位置を前記一端部側に設定するように制御し、連続して処理されるシート束の搬送方向と直交する方向のシートサイズがいずれも所定サイズより小さい場合に、先行のシート束のシート束排出可能位置と後続のシート束のシート束受入位置がシート束の同じ端部側に設定されるよう制御する
ことを特徴とするシート処理装置。
【請求項４】
シートに画像を形成する画像形成手段と、
画像形成されたシートに処理を行う請求項１乃至３のいずれか１項記載のシート処理装置と、を有する
ことを特徴とする画像形成装置。
【請求項５】
シートに画像を形成する画像形成手段と、
複数の画像形成されたシートからなるシート束に折り処理を行う折り手段と、
前記折り手段により折られたシート束を排出する排出手段と、
前記折られたシート束の折り部に沿ってシート束の一端部から他端部、あるいは前記他端部から前記一端部まで移動しながら前記折り部を加圧することが可能なシート束加圧手段と、
前記シート束加圧手段を、前記シート束加圧手段の移動方向の中心から前記一端部側に寄せて支持するハウジングと、
前記シート束加圧手段を制御する制御手段と、を備え、
前記シート束加圧手段は、加圧された後のシート束を、前記排出手段によって前記折り部を先頭にして排出させることが可能なシート束排出可能位置との間を移動可能であり、
前記制御手段は、処理されるシート束の受入方向と直交する方向のシートサイズが所定サイズより大きい場合に、前記シート束排出可能位置を前記一端部側に設定するよう制御する
ことを特徴とする画像形成装置。
【請求項６】
シートに画像を形成する画像形成手段と、
複数の画像形成されたシートからなるシート束に折り処理を行う折り手段と、
前記折り手段により折られたシート束を搬送する搬送手段と、
前記搬送手段によって折り部を先頭にして搬送された、前記折られたシート束の前記折り部に沿ってシート束の一端部から他端部、あるいは前記他端部から前記一端部まで移動しながら前記折り部を加圧することが可能なシート束加圧手段と、
前記シート束加圧手段を制御する制御手段と、を備え、
前記制御手段は、処理されるシート束の搬送方向と直交する方向のシートサイズが所定サイズより大きい場合に、前記シート束加圧手段の加圧時の移動方向を、前記折り部に沿った一方または他方の方向のどちらかの向きになるように制御し、処理されるシート束の
前記搬送方向と直交する方向のシートサイズが所定サイズより小さい場合に、前記シート束加圧手段の加圧時の移動方向を、前記折り部に沿った方向の一方及び他方の両方向になるように制御する
ことを特徴とする画像形成装置。
【請求項７】
シートに画像を形成する画像形成手段と、
複数の画像形成されたシートからなるシート束に折り処理を行う折り手段と、
前記折り手段により折られたシート束を搬送する搬送手段と、
折られたシート束の折り部に沿ってシート束の一端部から他端部、あるいは前記他端部から前記一端部まで移動しながら前記折り部を加圧することが可能なシート束加圧手段と、
前記シート束加圧手段を制御する制御手段と、を備え、
前記シート束加圧手段は、前記搬送手段によって前記折り部を先頭にして搬送された、折られたシート束を受け入れるシート束受入位置と、加圧された後のシート束を、前記搬送手段によって前記折り部を先頭にして排出させることが可能なシート束排出可能位置との間を移動可能であり、
前記制御手段は、前記シート束受入位置と前記シート束排出可能位置を前記一端部と前記他端部の間で入れ替え可能であるとともに、連続して処理されるシート束の搬送方向と直交する方向のシートサイズがいずれも所定サイズより大きい場合に、前記シート束排出可能位置を前記一端部側に設定するように制御し、連続して処理されるシート束の搬送方向と直交する方向のシートサイズがいずれも所定サイズより小さい場合に、先行のシート束のシート束排出可能位置と後続のシート束のシート束受入位置が、前記シート束の同じ端部側に設定されるよう制御する
ことを特徴とする画像形成装置。
【手続補正２】
【補正対象書類名】明細書
【補正対象項目名】００１０
【補正方法】変更
【補正の内容】
【００１０】
上記目的を達成するために、この発明の第１の発明は、
複数のシートからなるシート束に折り処理を行う折り手段と、
前記折り手段により折られたシート束を排出する排出手段と、
前記折られたシート束の折り部に沿ってシート束の一端部から他端部、あるいは前記他端部から前記一端部まで移動しながら前記折り部を加圧することが可能なシート束加圧手段と、
前記シート束加圧手段を、前記シート束加圧手段の移動方向と直交する方向の中心から前記一端部側に寄せて支持するハウジングと、
前記シート束加圧手段を制御する制御手段と、を備え、
前記シート束加圧手段は、加圧された後のシート束を、前記排出手段によって前記折り部を先頭にして排出させることが可能なシート束排出可能位置に移動可能であり、
前記制御手段は、処理されるシート束の排出方向と直交する方向のシートサイズが所定サイズより大きい場合に、前記シート束排出可能位置を前記一端部側に設定するよう制御する
ことを特徴とするシート処理装置である。
また、上記目的を達成するために、この発明の第２の発明は、
複数のシートからなるシート束に折り処理を行う折り手段と、
前記折り手段により折られたシート束を搬送する搬送手段と、
前記搬送手段によって折り部を先頭にして搬送された、前記折られたシート束の折り部
に沿ってシート束の一端部から他端部、あるいは前記他端部から前記一端部まで移動しながら前記折り部を加圧することが可能なシート束加圧手段と、
前記シート束加圧手段を制御する制御手段と、を備え、
前記制御手段は、処理されるシート束の搬送方向と直交する方向のシートサイズが所定サイズより大きい場合に、前記シート束加圧手段の加圧時の移動方向を、前記折り部に沿った一方または他方の方向のどちらかの向きになるように制御し、処理されるシート束の前記搬送方向と直交する方向のシートサイズが所定サイズより小さい場合に、前記シート束加圧手段の加圧時の移動方向を、前記折り部に沿った一方及び他方の両方向になるように制御する
ことを特徴とするシート処理装置である。
また、上記目的を達成するために、この発明の第３の発明は、
複数のシートからなるシート束に折り処理を行う折り手段と、
前記折り手段により折られたシート束を搬送する搬送手段と、
折られたシート束の折り部に沿ってシート束の一端部から他端部、あるいは前記他端部から前記一端部まで移動しながら前記折り部を加圧することが可能なシート束加圧手段と、
前記シート束加圧手段を制御する制御手段と、を備え、
前記シート束加圧手段は、前記搬送手段によって前記折り部を先頭にして搬送された、折られたシート束を受け入れるシート束受入位置と、加圧された後のシート束を、前記搬送手段によって前記折り部を先頭にして排出させることが可能なシート束排出可能位置との間を移動可能であり、
前記制御手段は、前記シート束受入位置と前記シート束排出可能位置を前記一端部と前記他端部の間で入れ替え可能であるとともに、連続して処理されるシート束の搬送方向と直交する方向のシートサイズがいずれも所定サイズより大きい場合に、前記シート束排出可能位置を前記一端部側に設定するように制御し、連続して処理されるシート束の搬送方向と直交する方向のシートサイズがいずれも所定サイズより小さい場合に、先行のシート束のシート束排出可能位置と後続のシート束のシート束受入位置がシート束の同じ端部側に設定されるよう制御する
ことを特徴とするシート処理装置である。
【手続補正３】
【補正対象書類名】明細書
【補正対象項目名】００１１
【補正方法】変更
【補正の内容】
【００１１】
この発明の第４の発明は、
シートに画像を形成する画像形成手段と、
画像形成されたシートに処理を行う第１の発明〜第３の発明いずれかによるシート処理装置と、を有する
ことを特徴とする画像形成装置である。
【手続補正４】
【補正対象書類名】明細書
【補正対象項目名】００１２
【補正方法】変更
【補正の内容】
【００１２】
この発明の第５の発明は、
シートに画像を形成する画像形成手段と、
複数の画像形成されたシートからなるシート束に折り処理を行う折り手段と、
前記折り手段により折られたシート束を排出する排出手段と、
前記折られたシート束の折り部に沿ってシート束の一端部から他端部、あるいは前記他端部から前記一端部まで移動しながら前記折り部を加圧することが可能なシート束加圧手段と、
前記シート束加圧手段を、前記シート束加圧手段の移動方向の中心から前記一端部側に寄せて支持するハウジングと、
前記シート束加圧手段を制御する制御手段と、を備え、
前記シート束加圧手段は、加圧された後のシート束を、前記排出手段によって前記折り部を先頭にして排出させることが可能なシート束排出可能位置との間を移動可能であり、
前記制御手段は、処理されるシート束の受入方向と直交する方向のシートサイズが所定サイズより大きい場合に、前記シート束排出可能位置を前記一端部側に設定するよう制御する
ことを特徴とする画像形成装置である。
また、上記目的を達成するために、この発明の第６の発明は、
シートに画像を形成する画像形成手段と、
複数の画像形成されたシートからなるシート束に折り処理を行う折り手段と、
前記折り手段により折られたシート束を搬送する搬送手段と、
前記搬送手段によって折り部を先頭にして搬送された、前記折られたシート束の前記折り部に沿ってシート束の一端部から他端部、あるいは前記他端部から前記一端部まで移動しながら前記折り部を加圧することが可能なシート束加圧手段と、
前記シート束加圧手段を制御する制御手段と、を備え、
前記制御手段は、処理されるシート束の搬送方向と直交する方向のシートサイズが所定サイズより大きい場合に、前記シート束加圧手段の加圧時の移動方向を、前記折り部に沿った一方または他方の方向のどちらかの向きになるように制御し、処理されるシート束の前記搬送方向と直交する方向のシートサイズが所定サイズより小さい場合に、前記シート束加圧手段の加圧時の移動方向を、前記折り部に沿った方向の一方及び他方の両方向になるように制御する
ことを特徴とする画像形成装置である。
また、上記目的を達成するために、この発明の第７の発明は、
シートに画像を形成する画像形成手段と、
複数の画像形成されたシートからなるシート束に折り処理を行う折り手段と、
前記折り手段により折られたシート束を搬送する搬送手段と、
折られたシート束の折り部に沿ってシート束の一端部から他端部、あるいは前記他端部から前記一端部まで移動しながら前記折り部を加圧することが可能なシート束加圧手段と、
前記シート束加圧手段を制御する制御手段と、を備え、
前記シート束加圧手段は、前記搬送手段によって前記折り部を先頭にして搬送された、折られたシート束を受け入れるシート束受入位置と、加圧された後のシート束を、前記搬送手段によって前記折り部を先頭にして排出させることが可能なシート束排出可能位置との間を移動可能であり、
前記制御手段は、前記シート束受入位置と前記シート束排出可能位置を前記一端部と前記他端部の間で入れ替え可能であるとともに、連続して処理されるシート束の搬送方向と直交する方向のシートサイズがいずれも所定サイズより大きい場合に、前記シート束排出可能位置を前記一端部側に設定するように制御し、連続して処理されるシート束の搬送方向と直交する方向のシートサイズがいずれも所定サイズより小さい場合に、先行のシート束のシート束排出可能位置と後続のシート束のシート束受入位置が、前記シート束の同じ端部側に設定されるよう制御する
ことを特徴とする画像形成装置である。